(57)【特許請求の範囲】
【請求項１】
ソフトコピー画像を自己発光して出力する第１の装置と、ソフトコピー画像またはハードコピー画像を取り扱う第２の装置との間で伝送される画像データを処理する画像処理方法であって、
前記第１または第２の装置が取り扱う画像を観察するそれぞれの視環境に応じて、その色の見えを一致させるように、前記画像データを処理し、
前記画像データの処理は、前記ソフトコピー画像を自己発光して出力する場合の、
前記ソフトコピー画像の白色点の色度、
前記ソフトコピー画像の観察時の周囲光の色度、および、
前記ソフトコピー画像の白色点と前記ソフトコピーの観察時の視環境の白色点とのそれぞれに、視覚が順応するときの順応比率
に基づいて、前記ソフトコピー画像の白色点および前記ソフトコピーを観察する視環境の白色点の両方を用いて算出される、前記ソフトコピーを観察する視環境において前記ソフトコピー画像の観察時に視覚が順応する第１の順応白色点の色度と、
前記ハードコピー画像の観察時に視覚が順応する第２の順応白色点の色度と
を用いて実行される補正処理である
ことを特徴とする画像処理方法。
【請求項２】
画像を取り扱う第１および第２の装置からなる画像システムにおいて、前記第１の装置から前記第２の装置へ伝送される画像データを処理する画像処理装置であって、
前記第１の装置が取り扱う画像を観察する視環境を表す視環境パラメータに応じて、前記第１の装置が取り扱う画像に対応する画像データを、その視環境下における色の見えに対応した見えの指標データに変換する第１の変換手段と、
前記第２の装置が取り扱う画像を観察する視環境を表す視環境パラメータに応じて、その視環境下における色の見えと、前記第１の装置が取り扱う画像を観察する視環境下における色の見えとが一致するように、前記指標データを変換し、
前記第２の装置へ供給する第２の変換手段と
を備え、
前記第１および第２の装置のうちの少なくとも一方は、ソフトコピー画像を自己発光して出力するものであり、
前記第１の装置が前記ソフトコピーを自己発光して出力する場合、前記第１の変換手段は、
前記ソフトコピー画像の白色点の色度、
前記ソフトコピー画像の観察時の周囲光の色度、および、
前記ソフトコピー画像の白色点と前記ソフトコピーの観察時の白色点とのそれぞれに視覚が順応するときの順応比率
に基づいて、前記ソフトコピー画像の白色点および前記ソフトコピーを観察する視環境の白色点の両方を用いて算出される、前記ソフトコピーを観察する視環境において前記ソフトコピー画像の観察時に視覚が順応する第１の順応白色点の色度
を用いて、前記変換を補正する第１の補正手段を備え、
前記第２の装置が前記ソフトコピーを自己発光して出力する場合、前記第２の変換手段は、
前記第１の順応白色点の色度と、
ハードコピー画像の観察時に視覚が順応する第２の順応白色点の色度と
を用いて、前記変換を補正する第２の補正手段を備える
ことを特徴とする画像処理装置。
【請求項３】
前記視環境を観測し、その観測結果に応じて、前記視環境パラメータを、前記第１と第２の変換手段へ出力する観測手段をさらに備える
ことを特徴とする請求項２に記載の画像処理装置。
【請求項４】
前記視環境パラメータを設定する設定手段をさらに備える
ことを特徴とする請求項２に記載の画像処理装置。
【発明の詳細な説明】
【０００１】
【産業上の利用分野】
本発明は、例えばＣＲＴモニタに表示された画像を、プリンタで印刷する場合などに用いて好適な画像処理装置に関する。
【０００２】
【従来の技術】
従来、画像の取り込みまたは出力（例えば、紙に印刷して出力する場合などの他、表示する場合も含む）が可能な、例えばＣＲＴモニタやプリンタ、スキャナ、ビデオカメラなどのデバイス間で画像データを伝送し、あるデバイス（入力デバイス）で取り込まれた画像、あるいは表示されている画像を、他のデバイス（出力デバイス）で出力（例えば、紙などに印刷）したり、表示したりする場合においては、入力デバイスまたは出力デバイスで、それぞれに定義された、例えばＲＧＢデータやＣＭＹ（Ｋ）データなどの画像データに基づいて処理が行われていた。このため、デバイスの特性（例えば、デバイスが内蔵するフィルタや、フォスファ（Phosphor）、インクなどの特性）の違いにより、入力デバイスにおける画像と、出力デバイスにおける画像とで、色ずれが生じていた。
【０００３】
そこで、デバイスごとに定義された画像データの色空間を、中間の色空間（例えば、ＣＩＥ（国際照明委員会）で定められている色空間であるＸＹＺ（ＣＩＥ／ＸＹＺ）や、Ｌ*ａ*ｂ*（ＣＩＥ／Ｌ*ａ*ｂ*）など）に変換し、この中間の色空間において画像データが同一である限りは、その画像データに対応する画像を、いかなるデバイスで出力しても、その色が、測色値レベルで同一になるようにする方法がある。
【０００４】
この場合、色空間の変換にあたっては、デバイスごとの画像データとしての、例えばＲＧＢと、それに対応する中間の色空間のデータとしての、例えばＸＹＺとの対応関係が、例えば変換テーブルや変換式の形で記述されたプロファイルと呼ばれるものが用いられる。
【０００５】
このプロファイルは、例えばデバイスに種々の画像データを与えたときに、そのデバイスから出力される画像を測色し、あるいはデバイスに種々の測色値の画像を与えたときに、そのデバイスから得られる画像データの値を検出し、画像データと測色値とを対応付けることによって、デバイスごとに作成される。
【０００６】
これにより、例えばデバイスＡ用に作成されたプロファイルによれば、そのデバイスＡに定義されたＲＧＢデータが、それに対応する画像の測色値に応じたＸＹＺデータに変換される。従って、このＸＹＺデータを、他のデバイスＢ用に作成されたプロファイルを用いて、そのデバイスＢに定義されたＲＧＢデータに変換することにより、デバイスＢでは、デバイスＡにおける画像と同じ色（測色値）の画像が得られる。
【０００７】
また、デバイスＢのプロファイルによれば、そのデバイスＢに定義されたＲＧＢデータが、それに対応する画像の測色値に応じたＸＹＺデータに変換される。従って、このＸＹＺデータを、デバイスＡ用のプロファイルを用いて、そのデバイスＡに定義されたＲＧＢデータに変換することにより、デバイスＡでは、デバイスＢにおける画像と同じ色（測色値）の画像が得られる。
【０００８】
ここで、プロファイルにより中間の色空間に変換されたデータ（画像データ）は、デバイスに依存しないものなので、デバイスインディペンデントカラー（Device Independent Color）、あるいはデバイスインディペンデントデータ（Device Independent Data）と呼ばれる。なお、以下、適宜、このデータを、ＤＩＣと略して記述する。また、デバイスごとに定義されたデータ（画像データ）は、デバイスディペンデントカラー（Device Dependent Color）、あるいはデバイスインディペンデントデータ（Device Dependent Data）と呼ばれる。なお、以下、適宜、このデータを、ＤＤＣと略して記述する。
【０００９】
図８は、以上のようなプロファイルを用いて画像データのやりとりを行う、従来の画像処理システムの一例の構成を示すブロック図であり、図９は、図８の画像処理システムにおけるデータの流れを示している。
【００１０】
図８において、スキャナ４７を入力デバイスとするとともに、ＣＲＴモニタ４６およびプリンタ４８を出力デバイスとすると、まずスキャナ４７では、例えば紙などに描かれた画像（取り込み画像）が取り込まれ、その画像に対応したＲＧＢデータ（スキャナ４７で定義されているＤＤＣとしての、例えばＲＧＢデータ）が生成される。このＲＧＢデータは、コンバータ４３に供給され、そこで、あらかじめ作成されて記憶されているスキャナ４７用のプロファイルを用いて、ＤＩＣとしての、例えばＸＹＺデータに変換され、マッピング部４５に出力される。
【００１１】
マッピング部４５は、例えば図１０に示すように構成される。コンバータ４３からのＸＹＺデータは、変換部４５ａにより、例えば視覚均等空間であるＬ*ａ*ｂ*空間上のデータ（Ｌ*ａ*ｂ*データ）などに変換され、マッピングテーブル４５ｄに出力される。マッピングテーブル４５ｄでは、変換部４５ａからのＬ*ａ*ｂ*データに対する、例えば色再現領域の圧縮処理などが行われる。
【００１２】
ここで、スキャナ４７が生成する画像データに対応する色すべてが、ＣＲＴモニタ４６やプリンタ４８で再現することができるとは限らない。そこで、マッピングテーブル４５ｄでは、変換部４５ａからのＬ*ａ*ｂ*データ、即ちスキャナ４７が取扱い可能な色のうち、ＣＲＴモニタ４６またはプリンタ４８で取り扱いできない色を、その色に最も近似しているＣＲＴモニタ４６またはプリンタ４８が取り扱い可能な色にそれぞれマッピングする処理である色再現領域の圧縮処理が行われる。
【００１３】
なお、マッピングテーブル４５ｄには、ＣＲＴモニタ４６、スキャナ４７、プリンタ４８を入力デバイス、出力デバイスとした場合の入力デバイスの色再現可能領域（色域）と出力デバイスの色再現領域との対応関係が記憶されており、例えば変換部４５ａからのＬ*ａ*ｂ*データをアドレスとして与えると、それに対応付けられているＬ*ａ*ｂ*データを変換部４５ｂまたは４５ｃに出力するようになされている。
【００１４】
変換部４５ｂまたは４５ｃでは、マッピングテーブル４５ｄから出力されたＬ*ａ*ｂ*データが、ＸＹＺデータに変換され、コンバータ４２または４４に、それぞれ出力される。
【００１５】
コンバータ４２では、マッピング部４５（変換部４５ｂ）からのＤＩＣデータとしてのＸＹＺデータが、あらかじめ作成されて記憶されているＣＲＴモニタ４６用のプロファイルを用いて、ＤＤＣとしての、例えばＲＧＢデータに変換され、ＣＲＴモニタ４６に供給される。ＣＲＴモニタ４６では、コンバータ４３からのＲＧＢデータに対応した画像が表示される（表示画像が出力される）。
【００１６】
一方、コンバータ４４では、マッピング部４５（変換部４５ｃ）からのＤＩＣデータとしてのＸＹＺデータが、あらかじめ作成されて記憶されているプリンタ４８用のプロファイルを用いて、ＤＤＣとしての、例えばＣＭＹＫデータに変換され、プリンタ４８に供給される。プリンタ４８では、コンバータ４４からのＣＭＹ（Ｋ）データに対応した画像が、プリント紙に印刷されて出力される（プリント画像が出力される）。
【００１７】
なお、ＣＲＴモニタ４６は、出力デバイスとしてだけでなく、スキャナ４７と同様に、入力デバイスとして用いることができるので、図８および図９においては、表示画像、ＣＲＴモニタ４６、コンバータ４２、マッピング部４５の間は、双方向の矢印で接続してある。
【００１８】
以上のようにして、スキャナ４７で取り込まれた取り込み画像を、ＣＲＴモニタ４６またはプリンタ４８で出力するようにすることにより、その表示画像またはプリント画像は、取り込み画像と同一の測色値を有するようになるので、従来のような色ずれが防止されることになる。
【００１９】
【発明が解決しようとする課題】
ところで、プロファイルを用いる場合においては、プロファイル作成時の測色条件と、実際に取り込み画像やプリント画像、表示画像を観察する視環境（周囲の光の輝度や色度、背景など）とが異なると、観察者の視覚の感度が変化するため、実際に観察者が感じる「色の見え」（Color Appearance）も異なってくる。
【００２０】
このような場合、通常、観察者（人間）の視覚は、視環境（周囲光など）に順応し、これにより白色は、白色に、他の色もその色に見えるようになる。即ち、視覚は、相対的にプロファイル作成時の測色条件下における色の見えを保持するようになされている。
【００２１】
従って、取り込み画像やプリント画像などのハードコピー画像のように、周囲光の反射光によって観察することができる画像は、視環境が変化しても、大きく色の見えが異なることはない。
【００２２】
しかしながら、自己発光型デバイスであるＣＲＴモニタ４６が出力する表示画像などのソフトコピー画像のように、それ自体が発光（自己発光）することによって観察することができる画像は、そのデバイス（この場合、ＣＲＴモニタ４６）の白色点（最も明るい点）の色度点の違いにより、その色の見えが異なってくる。これは、人間の視覚が、周囲光と自己発光型デバイスの白色点の両方に順応しようとするためである。
【００２３】
即ち、ソフトコピー画像と、ハードコピー画像の色の見えの違いは、ＣＲＴモニタ４６の白色点の色度点と周囲光の色度点との差に比例して顕著になり、例えば色温度４０００Ｋなどの蛍光灯下で、ＣＲＴモニタ４６に色温度の高い（例えば、９０００Ｋなど）モニタとしての、例えば高精細なグラフィックディスプレイを使用した場合には、ソフトコピー画像と、ハードコピー画像の色の見えの違いは、さらに大きくなってしまう課題があった。
【００２４】
よって、例えば図８に示す画像処理システムをＤＴＰ（Desk Top Publishing）システムに適用した場合においては、ＣＲＴモニタ４６を見ながら、配色等を考慮して画像（ソフトコピー画像）を作成、編集しても、プリンタ４８から得られる画像（ハードコピー画像）は、図１１に示すように、ＣＲＴモニタ４６の表示画像とは、色の見えが異なってしまうので、ＣＲＴモニタ４６の表示画像は、単に画像の形状や大きさを確認するものでしかなく、配色や色の補正（校正）を行うための参考には、実質ならなかった。即ち、ソフトコピー画像とハードコピー画像との色の見えの対応関係を熟知しているエキスパートが使用する場合は別として、通常の使用者が使用する場合には、ＣＲＴモニタ４６の表示画像を見ながら、配色や色の補正（校正）を行っても、所望するハードコピー画像を得ることが困難であった。
【００２５】
本発明は、このような状況に鑑みてなされたものであり、ソフトコピー画像とハードコピー画像との色の見えの違いを低減することができるようにするものである。
【００２６】
【課題を解決するための手段】
本発明の画像処理方法は、第１または第２の装置が取り扱う画像を観察するそれぞれの視環境に応じて、その色の見えを一致させるように、画像データが処理され、画像データの処理は、ソフトコピー画像を自己発光して出力する場合の、ソフトコピー画像の白色点の色度、ソフトコピー画像の観察時の周囲光の色度、および、ソフトコピー画像の白色点とソフトコピーの観察時の視環境の白色点とのそれぞれに視覚が順応するときの順応比率に基づいて、ソフトコピー画像の白色点およびソフトコピーを観察する視環境の白色点の両方を用いて算出される、ソフトコピーを観察する視環境においてソフトコピー画像の観察時に視覚が順応する第１の順応白色点の色度と、ハードコピー画像の観察時に視覚が順応する第２の順応白色点の色度とを用いて実行される補正処理であることを特徴とする。
【００２７】
本発明の画像処理装置は、第１の装置が取り扱う画像を観察する視環境を表す視環境パラメータに応じて、第１の装置が取り扱う画像に対応する画像データを、その視環境下における色の見えに対応した見えの指標データに変換する第１の変換手段と、第２の装置が取り扱う画像を観察する視環境を表す視環境パラメータに応じて、その視環境下における色の見えと、第１の装置が取り扱う画像を観察する視環境下における色の見えとが一致するように、指標データを変換し、第２の装置へ供給する第２の変換手段とを備え、第１および第２の装置のうちの少なくとも一方は、ソフトコピー画像を自己発光して出力するものであり、第１の装置がソフトコピーを自己発光して出力する場合、第１の変換手段は、ソフトコピー画像の白色点の色度、ソフトコピー画像の観察時の周囲光の色度、および、ソフトコピー画像の白色点とソフトコピーの観察時の視環境の白色点とのそれぞれに視覚が順応するときの順応比率に基づいて、ソフトコピー画像の白色点およびソフトコピーを観察する視環境の白色点の両方を用いて算出される、ソフトコピーを観察する視環境においてソフトコピー画像の観察時に視覚が順応する第１の順応白色点の色度を用いて、変換を補正する第１の補正手段を備え、第２の装置がソフトコピーを自己発光して出力する場合、第２の変換手段は、第１の順応白色点の色度と、ハードコピー画像の観察時に視覚が順応する第２の順応白色点の色度とを用いて、変換を補正する第２の補正手段を備えることを特徴とする。
【００２８】
この画像処理装置は、視環境を観測し、その観測結果に応じて、視環境パラメータを、第１と第２の変換手段へ出力する観測手段（例えば、図２に示すセンサ８，９，１１，１２）をさらに備えるようにすることができる。
【００２９】
あるいは、この画像処理装置は、視環境パラメータを設定する設定手段（例えば、図６に示すパラメータ設定部２１）をさらに備えるようにすることができる。
【００３０】
【作用】
本発明の画像処理方法においては、第１または第２の装置が取り扱う画像を観察するそれぞれの視環境に応じて、その色の見えを一致させるように、画像データが処理され、画像データの処理は、ソフトコピー画像の白色点の色度、ソフトコピー画像の観察時の周囲光の色度、および、ソフトコピー画像の白色点とソフトコピーの観察時の視環境の白色点とのそれぞれに視覚が順応するときの順応比率に基づいて、ソフトコピー画像の白色点およびソフトコピーを観察する視環境の白色点の両方を用いて算出される、ソフトコピーを観察する視環境においてソフトコピー画像の観察時に視覚が順応する第１の順応白色点の色度と、ハードコピー画像の観察時に視覚が順応する第２の順応白色点の色度とに応じて実行される補正処理であるので、第１および第２の装置が取り扱う画像の色の見えの違いを低減することができる。
【００３１】
本発明の画像処理装置においては、第１および第２の装置のうちの少なくとも一方が、ソフトコピー画像を自己発光して出力するものである場合に、第１の装置が取り扱う画像を観察する視環境を表す視環境パラメータに応じて、第１の装置が取り扱う画像に対応する画像データを、その視環境下における色の見えに対応した見えの指標データに変換し、その指標データを、第２の装置が取り扱う画像を観察する視環境を表す視環境パラメータに応じて、その視環境下における色の見えと、第１の装置が取り扱う画像を観察する視環境下における色の見えとが一致するように変換し、第２の装置へ供給する。そして、第１の装置がソフトコピーを自己発光して出力する場合、ソフトコピー画像の白色点の色度、ソフトコピー画像の観察時の周囲光の色度、および、ソフトコピー画像の白色点とソフトコピーの観察時の視環境の白色点とのそれぞれに視覚が順応するときの順応比率に基づいて、ソフトコピー画像の白色点およびソフトコピーを観察する視環境の白色点の両方を用いて算出される、ソフトコピーを観察する視環境においてソフトコピー画像の観察時に視覚が順応する第１の順応白色点の色度を用いて、変換が補正され、第２の装置がソフトコピーを自己発光して出力する場合、第１の順応白色点の色度と、ハードコピー画像の観察時に視覚が順応する第２の順応白色点の色度とを用いて、変換が補正される。従って、第１および第２の装置が取り扱う画像の色の見えの違いを低減することができる。
【００３２】
【実施例】
以下、本発明の実施例について説明するが、その前段階の準備として、図１を参照して、その概要について説明する。
【００３３】
本発明においては、例えば図１に示すように、ソフトコピー画像を自己発光して出力（表示）する、例えばモニタ（例えば、ＣＲＴモニタでなるグラフィックモニタやＬＣＤでなるモニタなど）と、ハードコピー画像を取り扱う（ハードコピー画像を出力または取り込む）、例えばスキャナやプリンタとの間で伝送される画像データが、蛍光灯が発する光などの周囲光およびＣＲＴモニタの発する光など、即ち視環境に応じて（視環境を考慮して）、ソフトコピー画像およびハードコピー画像の色の見えを一致させるように画像処理される。また、この際、ＣＲＴモニタと、スキャナやプリンタとの間で測色値レベルの色ずれが生じる場合には、前述したように、各デバイスごとのＤＤＣ（デバイスごとに定義されたデータ）をＤＩＣ（デバイスに依存しないデータ）に変換する画像処理を行ってから、このＤＩＣに対して、色の見えを一致させるような画像処理が施される。
【００３４】
次に、図２は、本発明を適用した画像処理システムの第１実施例の構成を示している。この画像処理システムにおいては、入力デバイスとしてＣＲＴモニタ７、出力デバイスとしてプリンタ１０が用いられており、まず自己発光して画像を表示（出力）、即ちソフトコピー画像を表示するＣＲＴモニタ７から、その画像に対応する画像データとしての、例えばＲＧＢデータが、画像処理部１に供給される。そして、画像処理部１では、ＣＲＴモニタ７からの画像データが画像処理され、プリント用紙に画像を出力、即ちハードコピー画像を出力するプリンタ１０に供給される。プリンタ１０では、画像処理部１からのデータに対応した画像が、プリント用紙に印刷される。
【００３５】
画像処理部１は、コンバータ２および６、視環境変換部３および５、並びに画像編集部４から構成される。コンバータ２は、あらかじめ作成されたＣＲＴモニタ７用のプロファイルを記憶しており、そこでは、そのプロファイルが参照され、ＣＲＴモニタ７からの、例えばＲＧＢデータが、ＤＩＣとしてのＸＹＺデータに変換され、（入力側の）視環境変換部３に供給される。
【００３６】
視環境変換部３には、コンバータ２からのＸＹＺデータの他、センサ８および９の出力が供給されるようになされている。センサ８および９は、ＣＲＴモニタ７が表示するソフトコピー画像を、使用者が観察する環境（ＣＲＴモニタ７の視環境）に対応する数値としての視環境パラメータ（Viewing Condition Parameter）を出力するようになされている。即ち、センサ８は、例えば放射色彩輝度計などでなり、ＣＲＴモニタ７が設置されている環境の周囲の光（例えば、蛍光灯の光など）の、例えば色度を測定し、これを視環境パラメータとして視環境変換部３に供給する。また、センサ９は、例えば密着型センサなどでなり、自己発光するＣＲＴモニタ７の、例えば白色点の色度と絶対輝度とを測定し、これを視環境パラメータとして視環境変換部３に供給する。
【００３７】
視環境変換部３では、センサ８および９からの視環境パラメータに応じて、コンバータ２からのＸＹＺデータが、ＣＲＴモニタ７の視環境下における色の見えに対応した見えの指標データであるＬ*Ｍ*Ｓ*データ（詳細は、後述する）に変換される。
【００３８】
そして、このＬ*Ｍ*Ｓ*データは、画像編集部４に供給される。画像編集部４は、視環境変換部３からのＬ*Ｍ*Ｓ*データに対し、例えば色域圧縮（Gamut Compression）処理や、色の編集（Image Editing）処理などの画像編集処理を施し、（出力側の）視環境変換部５に供給する。
【００３９】
視環境変換部５には、画像編集部４からのＬ*Ｍ*Ｓ*データの他、センサ１１の出力が供給されるようになされている。センサ１１は、プリンタ１０が出力するハードコピー画像（プリンタ１０がプリント用紙に印刷する画像）を、使用者が観察する環境（プリンタ１０の視環境）に対応する数値としての視環境パラメータを出力するようになされている。即ち、センサ１１は、例えば密着型センサなどでなり、プリンタ１０が画像を印刷するプリント用紙の、例えば白色点の色度を測定し、これを視環境パラメータとして視環境変換部５に供給する。
【００４０】
視環境変換部５では、センサ１１からの視環境パラメータに応じて、プリンタ１０の視環境下における色の見えと、ＣＲＴモニタ７の視環境下における色の見えとが一致するように、画像編集部４から供給されたＬ*Ｍ*Ｓ*データが処理される。そして、その結果得られたデータが、ＤＩＣデータとしてのＸＹＺデータに変換され、コンバータ６に供給される。
【００４１】
コンバータ６は、あらかじめ作成されたプリンタ１０用のプロファイルを記憶しており、そこでは、そのプロファイルが参照され、視環境変換部５からのＸＹＺデータが、プリンタ１０のＤＤＣとしての、例えばＣＭＹ（Ｋ）データに変換され、プリンタ１０に供給される。
【００４２】
これにより、プリンタ１０からは、ＣＲＴモニタ７に表示されたソフトコピー画像と色の見えがほとんど異ならないハードコピー画像が出力（印刷）される。
【００４３】
次に、コンバータ２または６にそれぞれ記憶されているＣＲＴモニタ７用またはプリンタ１０用のプロファイルの作成方法について説明する。まずＣＲＴモニタ７用のプロファイルの作成にあたっては、例えばＣＲＴモニタ７が出力するＲＧＢデータのＲ，Ｇ，Ｂそれぞれが８ビットのデータｄｒ，ｄｂ，ｄｇである場合には、まずＲＧＢデータを、いわば正規化したデータとしてのｒｇｂデータを、式（１）にしたがって算出する。
【００４４】
【数１】
0003635673.tif 000002
【００４５】
ここで、式（１）において、Ｒmax，Ｇmax，Ｂmaxは、ＣＲＴモニタ７の白色点におけるＲ，Ｇ，Ｂそれぞれの値である。また、ｋr,gain，ｋg,gain，ｋb,gainは、Ｒ，Ｇ，Ｂそれぞれのゲインであり、ｋr,offset，ｋg,offset，ｋb,offsetは、Ｒ，Ｇ，Ｂそれぞれのオフセットである。さらに、γr，γg，γbは、ＣＲＴモニタ７の特性に対応して、Ｒ，Ｇ，Ｂそれぞれのガンマ補正をするための係数（ガンマ補正係数）である。また、式（１）における数値２５５は、ＣＲＴモニタ７が出力する画像データに対応する値であり、ＣＲＴモニタ７が出力する画像データがｎビットのものである場合は、２n−１となる。
【００４６】
さらに、このｒｇｂデータを、式（２）にしたがって一次変換することによりＸＹＺデータを算出する。
【００４７】
【数２】
0003635673.tif 000003
【００４８】
ここで、式（２）の右辺の行列は、例えば最小自乗法などを利用して算出されるものである。
【００４９】
そして、ＣＲＴモニタ７用のプロファイルは、式（２）におけるＸＹＺデータと、式（１）におけるｄｒ，ｄｇ，ｄｂとの対応関係をテーブル形式に記述することにより完成される。なお、コンバータ２においては、以上のようにして作成したＣＲＴモニタ７用のプロファイルを記憶させておく他、式（１）および（２）にしたがって、ＣＲＴモニタ７から出力された８ビットのデータｄｒ，ｄｇ，ｄｂから、ＸＹＺデータを、逐次算出させるようにしても良い。
【００５０】
次に、プリンタ１０用のプロファイル作成にあたっては、まずプリンタ１０にＣＭＹ（Ｋ）データを、その値を変えて入力し、その結果得られるハードコピー画像を測色する。そして、その測色値と、入力したＣＭＹ（Ｋ）データとの対応関係をテーブル形式に記述することにより、プリンタ１０用のプロファイルが完成される。
【００５１】
なお、ＸＹＺデータによる色再現領域のうちの、プリンタ１０がカバーしていない領域は、プリンタ１０が表現可能な色再現領域に対応付けられる。
【００５２】
次に、視環境変換部３における画像処理の詳細について説明する。視環境変換部３では、まずコンバータ２からのＸＹＺデータが、例えば式（３）にしたがって、人間の錐体の信号に対応するＬＭＳデータに変換される（ＬＭＳ空間のデータに変換される）。
【００５３】
【数３】
0003635673.tif 000004
【００５４】
ここで、式（３）の右辺の行列は、視感実験により求められた公知の行列である。なお、人間の錐体の信号に対応するデータに変換する行列は、式（３）に示すものに限られるものではない。式（３）は、分光分布が平坦なＸＹＺデータを、人間の錐体の信号に対応するデータに変換する変換式の一つの例である。
【００５５】
以上のようにして、式（３）から得られたＬ，Ｍ，Ｓの各データは、人間の錐体の信号のうちの長、中、短波長の信号にそれぞれ対応するものである。
【００５６】
ところで、人間の視覚は、Ｄ６５の光と大きく離れた色度の光を発することによりソフトコピー画像を表示するＣＲＴモニタ７の白色点に対しては、不完全にしか順応しない。即ち、この場合、ＣＲＴモニタ７の白色点におけるＲ，Ｇ，Ｂを式（１）乃至（３）にしたがって変換したＬ，Ｍ，Ｓを、それぞれＬn(CRT)，Ｍn(CRT)，Ｓn(CRT)とすると、人間の視覚は、例えば式（４）で表現されるような色度Ｌ’n(CRT)，Ｍ’n(CRT)，Ｓ’n(CRT)を有する、いわば疑似的な白色点に順応する。
【００５７】
【数４】
0003635673.tif 000005
【００５８】
ここで、式（４）において、ｐL，ｐM，ｐSは、色順応補正係数（Chromatic Adaptation Factors）であり、例えば次式により求められるものである。
【００５９】
【数５】
0003635673.tif 000006
但し、ｌE，ｍE，ｓEは、式
【数６】
0003635673.tif 000007
によって定義されるものであり、またＹn（単位：ｃｄ／ｍ2）は、ＣＲＴモニタ７の実際の白色点の絶対輝度である。
【００６０】
ここで、実際のモニタの色順応補正係数ｐL，ｐM，ｐSの例を、下表に示す。
【００６１】
【表１】
0003635673.tif 000008
但し、上表において、ＣＣＴ（Correlated Color Temperature）は、モニタの白色点の色温度を意味する。
【００６２】
次に、ＣＲＴモニタ７が表示するソフトコピー画像は、蛍光灯などが点灯された周囲光のあるところで観察される。この場合、人間の視覚は、上述したＣＲＴモニタ７の疑似的な白色点と、周囲光の白色点とに対して、それぞれ部分的に順応しようとする。
【００６３】
そこで、ここでは、周囲光のあるところで、ＣＲＴモニタ７に表示されたソフトコピー画像を観察する場合の人間の視覚が順応する白色点の色度Ｌ’’n(SoftCopy)，Ｍ’’n(SoftCopy)，Ｓ’’n(SoftCopy)を、次式で定義する。
【００６４】
【数７】
0003635673.tif 000009
但し、式（７）において、Ｌn(Ambient)，Ｍn(Ambient)，Ｓn(Ambient)は、周囲光の白色点における色度である。また、Ｒadpは、人間の視覚が、ＣＲＴモニタ７の疑似的な白色点と、周囲光の白色点とにそれぞれ順応するときの、いわば順応比率を表す係数（以下、順応比率係数という）で、０乃至１の範囲のうちの所定の値があらかじめ設定される。
【００６５】
視環境変換部３には、上述したように、式（４）（および式（６））または（５）それぞれにおけるＣＲＴモニタ７の白色点の実際の色度Ｌn(CRT)，Ｍn(CRT)，Ｓn(CRT)または絶対輝度Ｙnが、センサ９から供給されるとともに、また式（７）における周囲光の白色点の色度Ｌn(Ambient)，Ｍn(Ambient)，Ｓn(Ambient)が、センサ８から供給されるので、そこでは、式（４）乃至（７）にしたがって、周囲光のあるところで、ＣＲＴモニタ７に表示された画像を観察する場合の人間の視覚が順応する白色点の色度Ｌ’’n(SoftCopy)，Ｍ’’n(SoftCopy)，Ｓ’’n(SoftCopy)が求められる。
【００６６】
そして、式（３）にしたがって算出されたＬ，Ｍ，Ｓのデータ（ＣＲＴモニタ７から供給されたＲ，Ｇ，Ｂを人間の錐体の信号（に対応する信号）に変換したもの）が、白色点の色度Ｌ’’n(SoftCopy)，Ｍ’’n(SoftCopy)，Ｓ’’n(SoftCopy)でそれぞれ除算され、これによりＣＲＴモニタ７に表示されたソフトコピー画像を観察した場合の色の見えを反映した、いわば見えの指標データＬ／Ｌ’’n(SoftCopy)，Ｍ／Ｍ’’n(SoftCopy)，Ｓ／Ｓ’’n(SoftCopy)が得られる。
【００６７】
次に、人間の視覚が感じる画像のコントラストは、周囲光の輝度レベルによって変化するが、これは、人間の視覚が、周囲光の輝度レベルに順応（明順応）するためである。従って、ＣＲＴモニタ７のソフトコピー画像とプリンタ１０のハードコピー画像との色の見えを一致させるようにするためには、コントラストの補正が必要となる。
【００６８】
図３は、真っ暗なところ（dark surround）で画像を見る場合（例えば、映画館で映画を見る場合など）と、明るいところ（light surround）で画像を見る場合（例えば、蛍光灯が点灯している部屋で、ハードコピー画像を見る場合など）における、画像の輝度レベルＹと、明度（人間の視覚が感じる明るさ）Ｌ**との関係を示している。
【００６９】
周囲光のあるところでＣＲＴモニタ７に表示された画像を見るということは、相対的に、いわば薄暗いところ（dim surround）で画像を見ることに相当するから、この場合の画像の輝度レベルＹに対する、明度Ｌ**は、図３に示すように、真っ暗なところ（dark surround）で画像を見る場合と、明るいところ（light surround）で画像を見る場合との間の中間値をとると考えることができる。
【００７０】
ここで、図３に示した画像の輝度レベルＹと明度Ｌ**との関係は、例えば次式によって表すことができる。
【数８】
0003635673.tif 000010
但し、Ｙnは、画像の絶対輝度レベルであり、右辺の中かっこの右上の指数は、輝度に対するガンマ補正係数である。また、式（８）のうちの、薄暗いところ（dim surround）で画像を見る場合の式におけるガンマ補正係数は、真っ暗なところ（dark surround）または明るいところ（light surround）で画像を見る場合それぞれにおけるガンマ補正係数（０．３３と０．５０）のほぼ中間値（０．４）としてある。
【００７１】
図２において、ＣＲＴモニタ７によるソフトコピー画像を見る場合、またはプリンタ１０によるハードコピー画像を見る場合は、それぞれ薄暗いところ（dim surround）で画像を見る場合と、明るいところ（light surround）で画像を見る場合にそれぞれ対応する。従って、ＣＲＴモニタ７におけるソフトコピー画像を、プリンタ１０によってハードコピー画像として出力する場合に、例えばソフトコピー画像のコントラストを、ハードコピー画像のコントラストに合わせることを考えたときには、薄暗いところ（dim surround）で画像を見る場合における輝度のガンマ補正係数（０．４０）を、明るいところ（light surround）で画像を見る場合における輝度のガンマ補正係数（０．５０）に対するものにした値で、ＣＲＴモニタ７のソフトコピー画像に対するガンマ補正を行う必要がある。
【００７２】
即ち、ＣＲＴモニタ７におけるソフトコピー画像のコントラストを、プリンタ１０におけるハードコピー画像とのコントラストに合わせるためには、上述した見えの指標データＬ／Ｌ’’n(SoftCopy)，Ｍ／Ｍ’’n(SoftCopy)，Ｓ／Ｓ’’n(SoftCopy)を０．８（＝０．４０／０．５０）乗する、輝度に対するガンマ補正を行う必要がある。
【００７３】
従って、視環境変換部３では、上述したようにして得た見えの指標データＬ／Ｌ’’n(SoftCopy)，Ｍ／Ｍ’’n(SoftCopy)，Ｓ／Ｓ’’n(SoftCopy)が、次式にしたがって、いわばコントラストを加味した見えの指標データＬ*，Ｍ*，Ｓ*に変換され、これが、画像編集部４を介して視環境変換部５に供給される。
【００７４】
【数９】
0003635673.tif 000011
【００７５】
即ち、ＣＲＴモニタ７からコンバータ２を介して供給された画像データは、式（９）で定義される、いわば見えのモデルに基づいて、見えの指標データＬ*，Ｍ*，Ｓ*に変換されることになる。
【００７６】
次に、視環境変換部５における画像処理の詳細について説明する。視環境変換部５には、上述したように、プリント用紙の白色点の色度Ｌn(PRN)，Ｍn(PRN)，Ｓn(PRN)が、センサ１１から供給され、これが、プリンタ１０により、プリント紙に印刷されたハードコピー画像（プリント画像）を観察する場合の人間の視覚が順応する白色点の色度Ｌn(HardCopy)，Ｍn(HardCopy)，Ｓn(HardCopy)とされる。
【００７７】
ここで、プリンタ１０によるハードコピー画像に対応する画像データＣＭＹ（Ｋ）を、コンバータ６に記憶されているプリンタ１０用のプロファイルで変換し、その結果得られたＸＹＺデータを、式（３）にしたがってＬＭＳデータに変換した場合を考えると、プリンタ１０によるハードコピー画像を観察した場合の色の見えを反映したデータは、Ｌ／Ｌn(HardCopy)，Ｍ／Ｍn(HardCopy)，Ｓ／Ｓn(HardCopy)になる。
【００７８】
コントラストに関しては、上述したように、視環境変換部３で、それを考慮した画像処理がなされるので、ソフトコピー画像とハードコピー画像との色の見えを一致させるには、次式が成立すれば良いことになる。
【００７９】
【数１０】
0003635673.tif 000012
【００８０】
よって、式（９）および（１０）から、視環境変換部３より編集部４を介して視環境変換部５に入力されるＬ*Ｍ*Ｓ*データを、次式にしたがって変換することにより、ソフトコピー画像の色の見えと一致したハードコピー画像に対応するＬＭＳデータが得られることになる。
【００８１】
【数１１】
0003635673.tif 000013
【００８２】
視環境変換部５では、上式にしたがってＬＭＳデータが算出され、さらにこのＬＭＳデータが、式（３）の右辺の行列の逆行列によって一次変換されて、ＤＩＣとしてのＸＹＺデータとされる。
【００８３】
次に、画像編集部４の処理の詳細について説明する。画像編集部４では、まず視環境変換部３からのＬ*Ｍ*Ｓ*データが、式
【数１２】
0003635673.tif 000014
【数１３】
0003635673.tif 000015
にしたがって、視覚均等空間であるＬ*ａ*ｂ*空間のデータに変換される。但し、上式において、Ｘ0，Ｙ0，Ｚ0は、白色点におけるＸ*，Ｙ*，Ｚ*それぞれの値であり、この場合、それぞれ１００となる。
【００８４】
ここで、本明細書中においては、視覚均等空間におけるＬ*と、視環境変換部３より出力される見えの指標データのＬ*とを同一の記号で記述してあるが、これらはそれぞれ独立の関係にあるものである。
【００８５】
画像編集部４は、以上のようにして得られた視覚均等空間上のＬ*ａ*ｂ*空間のデータに対し、上述したような画像編集処理を施す。そして、画像編集処理の終了後、式（１３）および（１２）に基づいて、Ｌ*ａ*ｂ*データを、元の空間のデータであるＬ*Ｍ*Ｓ*データに変換し、その後、視環境変換部５に出力する。
【００８６】
次に、図４は、画像処理部１によって、以上のように、ＣＲＴモニタ７のソフトコピー画像に対応する画像データを処理し、その結果得られたデータに基づいてプリンタ１０にハードコピー画像を出力させた場合に、ソフトコピー画像とハードコピー画像の色の見えの一致度と、式（７）における順応比例係数Ｒadpとの関係を調査した実験結果を示している。なお、この調査実験は、ソフトコピー画像と、順応比例係数Ｒadpを０，２０，４０，６０，８０，１００％に順次代えて画像処理してそれぞれ得られたハードコピー画像とを、被験者に見比べてもらうという一対比較法により行った。
【００８７】
図４においては、横軸に、順応比例係数Ｒadpをとり、縦軸に、ソフトコピー画像とハードコピー画像の色の見えの一致度を示す心理量（Psychphysical Scale）をとってある。図４から、順応比例係数Ｒadpは、ほぼ４０乃至６０％程度の範囲の値に設定することが好ましいことがわかる。また、実験に用いた順応比例係数Ｒadpのうちでは、６０％としたときに最も良好な結果が得られた。従って、ＣＲＴモニタ７に表示された画像を観察した場合には、人間の視覚は、ＣＲＴモニタ７の白色点にほぼ６０％程度、周囲光の白色点にほぼ４０％程度の割合で順応すると予想される。
【００８８】
次に、図５は、図２の画像処理装置１における画像データの流れを示している。ＣＲＴモニタ７に表示されたソフトコピー画像に対応するＲＧＢデータＤ１は、コンバータ２に記憶されているＣＲＴモニタ７用のプロファイルによって、ＸＹＺデータＤ２に変換される。このＸＹＺデータＤ２は、入力デバイス側の視環境パラメータ、即ち図２においてはセンサ８および９の出力に基づいて、見えの指標データであるＬ*Ｍ*Ｓ*データＤ３に変換される。
【００８９】
そして、Ｌ*Ｍ*Ｓ*データＤ３は、知覚均等空間のデータであるＬ*ａ*ｂ*データＤ４に変換され、画像編集処理が施され、その結果Ｌ*ａ*ｂ*データＤ５とされる。そして、このＬ*ａ*ｂ*データＤ５は、Ｌ*Ｍ*Ｓ*空間のデータであるＬ*Ｍ*Ｓ*データＤ６に変換され、出力デバイス側の視環境パラメータ、即ち図２においてはセンサ１１の出力に基づいて、ＸＹＺデータＤ７に変換される。このＸＹＺデータＤ７は、コンバータ６に記憶されているプリンタ１０用のプロファイルによって、プリンタ１０に定義されたＣＭＹ（Ｋ）データに変換され、プリンタ１０に出力される。
【００９０】
次に、図６は、本発明を適用した画像処理システムの第２実施例の構成例を示している。なお、図中、図２における場合と対応する部分については、同一の符号を付してある。即ち、この画像処理システムは、センサ８乃至１１が取り除かれ、パラメータ設定部２１が新たに設けられている他は、図２の画像処理システムと同様に構成されている。
【００９１】
この画像処理システムにおいては、パラメータ設定部２１を操作することによって、視環境変換部３および５に視環境パラメータを設定することができるようになされている。従って、この場合、視環境を測定するセンサを設ける必要がないので、システムを安価に構成することができる。
【００９２】
なお、パラメータ設定部２１を操作することによる他、そこに、ＣＲＴモニタ７の白色点における色度を得るための選択枝を、例えば（１）Ｄ９０，（２）Ｄ６５，（３）Ｄ５０などのように記憶させておいたり、また周囲光の色度を得るための選択枝を、例えば（１）蛍光灯、（２）白熱灯、（３）Ｄ６５，（４）Ｄ５０などのように記憶させておくようにし、これらの選択枝の中から、画像処理システムのおかれている環境に対応したものを、使用者に選択させることにより、その選択枝に対応する視環境パラメータを、視環境変換部３および５に設定するようにすることができる。
【００９３】
次に、図７は、本発明を適用した画像処理システムの第３実施例の構成を示している。なお、図中、図２における場合と対応する部分については、同一の符号を付してある。
【００９４】
図７においては、入力デバイスまたは出力デバイスとして、それぞれスキャナ３１またはＣＲＴモニタ７が用いられており、スキャナ３１で取り込むハードコピー画像が印刷されたプリント紙の白色点における色度が、センサ１１で測定され、これが視環境変換部３に供給されるとともに、センサ８および９の出力が、視環境変換部５に供給されるようになされている。また、コンバータ２または６には、それぞれスキャナ３１用のプロファイルまたはＣＲＴモニタ７用のプロファイルが記憶されている。
【００９５】
従って、この場合、視環境変換部３では、式（１１）をＬ*，Ｍ*，Ｓ*に関する等式に直した演算が行われることにより、Ｌ*Ｍ*Ｓ*データが求められ、また視環境変換部５では、式（９）を、Ｌ，Ｍ，Ｓに関する等式に直した演算が行われることにより、ＬＭＳデータが求められることになる。
【００９６】
以上のように、ハードコピー画像とソフトコピー画像との色の見えが一致するように、画像処理を行うので、これを、例えばＤＴＰシステムなどに応用した場合には、ソフトコピー画像を表示するＣＲＴモニタ７を、ハードコピーの、いわばカラープルーフとして利用することが可能となり、何度も校正刷りを出力する手間を省くことができる。
【００９７】
さらに、視環境パラメータに基づいて、視環境に対応した画像処理を行うようにしたので、視環境が変化しても、ほぼ同一の色の見えを再現することができる。
【００９８】
また、入力デバイスと出力デバイスとが、物理的に遠く離れた位置に設置されていたとしても、画像処理部１を、編集部４から、入力デバイスを含む送信側と、出力デバイスを含む受信側とに切り分け（なお、編集部４は、どちらに含めても良い）、視環境変換部３が出力するＬ*Ｍ*Ｓ*データを伝送路を介して送信し、これを視環境変換部５で受信するようにすることにより、送信側と受信側とで、同一の色の見えを再現することができる。即ち、この場合、いわば色に関する情報の正確な伝達（色のコミュニュケーション）が可能となる。
【００９９】
なお、本実施例においては、入力デバイスと出力デバイスとの組み合わせとして、ＣＲＴモニタ７とプリンタ１０との組み合わせや、スキャナ３１とＣＲＴモニタ７との組み合わせを用いるようにしたが、これに限られるものではない。即ち、この他、例えばビデオカメラとＣＲＴモニタ７との組み合わせや、自己発光してソフトコピー画像を表示する２つのモニタの組み合わせなどの、少なくとも一方が自己発光して画像を出力（表示）する入力デバイスおよび出力デバイスの組み合わせを用いるようにすることができる。但し、入力デバイスおよび出力デバイスの両方を、自己発光せずに画像を取り扱うものとしても、画像の色の見えが異なることを防止することができる。さらに、出力デバイスとする装置は、１つでなく、複数設けるようにすることができる。
【０１００】
また、例えば図２の実施例では、プリント用紙の白色点の色度を測定するセンサ１１を設けるようにしたが、例えばこれに代えて、プリント用紙に印刷されたハードコピー画像を見る環境における周囲光の白色点の色度を測定する、例えば放射色彩輝度計などでなるセンサ１２（図中、点線で示す部分）を設け、このセンサ１２の出力（ハードコピー画像を見る環境における周囲光の白色点の色度）を、式（１１）におけるハードコピー画像（プリント画像）を観察する場合の人間の視覚が順応する白色点の色度（Ｌn(HardCopy)，Ｍn(HardCopy)，Ｓn(HardCopy)）とするようにしても良い。
【０１０１】
さらに、センサ１１および１２の両方を設け、両者の出力を考慮して、式（１１）におけるハードコピー画像（プリント画像）を観察する場合の人間の視覚が順応する白色点の色度（Ｌn(HardCopy)，Ｍn(HardCopy)，Ｓn(HardCopy)）を決定するようにすることも可能である。
【０１０２】
また、例えば図２の実施例では、実験結果より求めた順応比例係数Ｒadpを用いるようにしたが、この順応比例係数Ｒadpは、次式に示すように、ソフトコピー画像を観察している時間τst、ＣＲＴモニタ７の画面視野角θview、ＣＲＴモニタ７の白色点の絶対輝度Ｙn,CRT、およびプリント用紙の白色点の絶対輝度Ｙn,Ambientの関数と考えることができる。
【０１０３】
【数１４】
0003635673.tif 000016
【０１０４】
従って、τst，θview，Ｙn,CRT，Ｙn,Ambientを考慮して、順応比例係数Ｒadpを決定するようにすることにより、ハードコピー画像とソフトコピー画像との色の見えの違いをさらに低減するようにすることが可能である。
【０１０５】
但し、この場合、図２および図７においては、センサ８，１１（および１２）に、白色点における色度の他、絶対輝度も測定させるようにする必要がある。また、図６においては、パラメータ設定部２１によって、プリント用紙や周囲光の白色点における絶対輝度などを設定するようにする必要がある。あるいは、プリント用紙や周囲光の絶対輝度を得るための選択枝を、例えば（１）明るい、（２）普通、（３）暗いなどのように記憶させておき、使用者に選択させるようにする必要がある。
【０１０６】
さらに、例えば図２の実施例では、ＣＲＴモニタ７に表示された画像を見る場合の明度Ｌ**は、図３で説明したように、真っ暗なところ（dark surround）で画像を見る場合と、明るいところ（light surround）で画像を見る場合とのほぼ中間値をとると考え、式（８）に示したように、ＣＲＴモニタ７に表示された画像を見る場合の輝度レベルに対するガンマ補正係数を、それらのガンマ補正係数のほぼ中間値である０．４（≒（０．５０＋０．３３）／２）とし、ソフトコピー画像とハードコピー画像のコントラストを一致させるためのガンマ補正を行うようにしたが、即ち０．８なる値のガンマ補正係数を用いるようにしたが、このコントラストを一致させるために行うガンマ補正に用いるガンマ補正係数γcontは、次式に示すように、ＣＲＴモニタ７の白色点における絶対輝度Ｙn,CRT、プリント紙の白色点における絶対輝度Ｙn,Ambient、ＣＲＴモニタ７の黒レベルＹb,CRT、およびプリント紙の黒レベルＹb,Ambientの関数と考えることができる。
【０１０７】
【数１５】
0003635673.tif 000017
【０１０８】
従って、Ｙn,CRT，Ｙn,Ambient，Ｙb,CRT，Ｙb,Ambientを考慮して、ガンマ補正係数γcontを決定するようにすることにより、ハードコピー画像とソフトコピー画像との色の見えの違いをさらに低減するようにすることが可能である。
【０１０９】
また、本実施例においては、画像処理部１に画像編集部４を設けるようにしたが、画像編集部４を設けずに画像処理部１を構成するようにしても良い。
【０１１０】
【発明の効果】
以上の如く、本発明によれば、第１および第２の装置が取り扱う画像の色の見えの違いを低減することができる。
【図面の簡単な説明】
【図１】本発明の概要を説明する図である。
【図２】本発明を適用した画像処理システムの第１実施例の構成を示すブロック図である。
【図３】輝度と明度の対応関係を示す図である。
【図４】比例順応係数Ｒadpと、ソフトコピー画像およびハードコピー画像の色の見えの一致度との関係の調査実験結果を示す図である。
【図５】図２の画像処理部１におけるデータの流れを説明する図である。
【図６】本発明を適用した画像処理システムの第２実施例の構成を示すブロック図である。
【図７】本発明を適用した画像処理システムの第３実施例の構成を示すブロック図である。
【図８】従来の画像処理システムの一例の構成を示すブロック図である。
【図９】図８の画像処理システムにおけるデータの流れを説明する図である。
【図１０】図８の画像処理システムにおけるマッピング部４５の詳細構成を示すブロック図である。
【図１１】従来の画像処理システムの課題を説明する図である。
【符号の説明】
１  画像処理部
２  コンバータ
３  視環境変換部
４  画像編集部
５  視環境変換部
６  コンバータ
７  ＣＲＴモニタ
８，９  センサ
１０  プリンタ
１１，１２  センサ
２１  パラメータ設定部
３１  スキャナ
【図１】
0003635673.tif 000018
【図２】
0003635673.tif 000019
【図３】
0003635673.tif 000020
【図４】
0003635673.tif 000021
【図５】
0003635673.tif 000022
【図６】
0003635673.tif 000023
【図７】
0003635673.tif 000024
【図８】
0003635673.tif 000025
【図９】
0003635673.tif 000026
【図１０】
0003635673.tif 000027
【図１１】
0003635673.tif 000028